(57)【特許請求の範囲】
【請求項１】
リフレクタを具備する光源から出射された光をライトバルブにより変調して投写する投写型映像表示装置において、一方側電極により空気や空気中の分子をイオン化することにより発生させたイオンを他方側電極により移動させて空気移動を生じさせるイオン風発生装置を配備すると共に、前記移動空気の経路上であって前記光源の近傍にオゾン除去手段を設けており、前記リフレクタを具備する光源と前記イオン風発生装置とは別体に設けられており、前記リフレクタが赤外線を透過し、前記赤外線がオゾン除去手段へ導かれるように構成されていることを特徴とする投写型映像表示装置。
【請求項２】
請求項１に記載の投写型映像表示装置において、前記オゾン除去手段の温度またはその周囲温度を検出するセンサと、前記温度が規定温度以上となったときにイオン風発生装置をＯＮし、規定温度未満となったときにイオン風発生装置をＯＦＦする制御手段と、を備えたことを特徴とする投写型映像表示装置。
【請求項３】
請求項１に記載の投写型映像表示装置において、前記光源がＯＮ／ＯＦＦされた後所定期間が経過したときに前記イオン風発生装置がＯＮ／ＯＦＦされるように構成されたことを特徴とする投写型映像表示装置。
【発明の詳細な説明】
【０００１】
【産業上の利用分野】
この発明は、液晶プロジェクタ等の投写型映像表示装置に関する。
【０００２】
【従来の技術】
投写型映像表示装置は、光源から出射された光を液晶パネル等のライトバルブにより変調して投写する構成であるため、高輝度の光源を備える必要があり、この高輝度の光源自体から発生する熱や液晶パネルの偏光板あるいは各種光学部品に光が吸収されるときに発生する熱の対策が必要になり、従来は、モーターでファンを回転させて吸気や排気を行ない、熱を装置外に放出するようにしていた（特許文献１参照）。
【０００３】
【特許文献１】
特開２００１−２２２０６５号
【０００４】
【発明が解決しようとする課題】
しかしながら、モーター駆動による吸排気機構では、モーター回転音やファンによる風切り音により、吸排気音によるノイズが発生し、プロジェクタ使用時にその吸排気音ノイズが耳障りになるという不都合がある。
【０００５】
この発明は、上記の事情に鑑み、吸排気時の音の発生を殆ど無くすことができる投写型映像表示装置を提供することを目的とする。
【０００６】
【課題を解決するための手段】
この発明の投写型映像表示装置は、上記課題を解決するために、光源から出射された光をライトバルブにより変調して投写する投写型映像表示装置において、一方側電極により空気や空気中の分子をイオン化することにより発生させたイオンを他方側電極により移動させて空気移動を生じさせるイオン風発生装置を配備すると共に、前記移動空気の経路上にオゾン除去手段を設けたことを特徴とする。
【０００７】
上記の構成であれば、イオン風発生装置はイオン化した空気等を電気的に移動させて空気移動を生じさせるから、ファンの回転による送風と異なり、回転騒音の発生は無くなり、吸排気において殆ど無音状態とすることが可能となる。そして、上記イオン化によりオゾンが発生しても、このオゾンはオゾン除去手段によって除去されることになる。
【０００８】
装置内で発生する熱を奪って温まった移動空気の経路上にオゾン除去フィルタを設けてもよい。また、移動空気の経路上であって、前記光源の近傍にオゾン除去フィルタを設けてもよい。また、前記光源を構成するリフレクタが赤外線を透過し、前記赤外線がオゾン除去フィルタへ導かれるように構成されていてもよい。これらの構成であれば、オゾン除去フィルタがその除去能力を十分に発揮するためにある程度高温となることが必要となる場合に好都合となる。
【０００９】
前記オゾン除去手段の温度またはその周囲温度を検出するセンサと、前記温度が規定温度以上となったときにイオン風発生装置をＯＮし、規定温度未満となったときにイオン風発生装置をＯＦＦする制御手段と、を備えるのがよい。これによれば、オゾン除去フィルタのオゾン除去能力が十分に発揮される段階になってから送風が行なわれることになり、発生オゾンの装置外への排出を極力抑えることができることになる。
【００１０】
また、前記光源がＯＮ／ＯＦＦされた後所定期間が経過したときに前記イオン風発生装置がＯＮ／ＯＦＦされるように構成されているのがよい。かかる構成においても、オゾン除去フィルタのオゾン除去能力が十分に発揮される段階になってから送風が行なわれることになり、発生オゾンの装置外への排出を極力抑えることができることになる。
【００１１】
【発明の実施の形態】
以下、この発明の実施形態の投写型映像表示装置を図１乃至図３に基づいて説明する。
【００１２】
図１は３板式カラー液晶プロジェクタの光学系を示した図である。光源１の発光部２は、超高圧水銀ランプ、メタルハライドランプ、キセノンランプ等から成り、その照射光は、例えばパラボラリフレクタ３によって平行光となって出射される。
【００１３】
第１ダイクロイックミラー５は、赤色波長帯域の光を透過し、シアン（緑＋青）の波長帯域の光を反射する。第１ダイクロイックミラー５を透過した赤色波長帯域の光は、全反射ミラー６にて反射されて光路を変更される。全反射ミラー６にて反射された赤色光はコンデンサレンズ７を経て赤色光用の透過型の液晶ライトバルブ３１を透過することによって光変調される。一方、第１ダイクロイックミラー５にて反射したシアンの波長帯域の光は、第２ダイクロイックミラー８に導かれる。
【００１４】
第２ダイクロイックミラー８は、青色波長帯域の光を透過し、緑色波長帯域の光を反射する。第２ダイクロイックミラー８にて反射した緑色波長帯域の光はコンデンサレンズ９を経て緑色光用の透過型の液晶ライトバルブ３２に導かれ、これを透過することによって光変調される。また、第２ダイクロイックミラー８を透過した青色波長帯域の光は、全反射ミラー１１，１３、リレーレンズ１０，１２、及びコンデンサレンズ１４を経て青色光用の透過型の液晶ライトバルブ３３に導かれ、これを透過することによって光変調される。
【００１５】
上記の液晶ライトバルブ３１，３２，３３は、入射側偏光板と、一対のガラス基板（画素電極や配向膜を形成してある）間に液晶を封入して成るパネル部と、出射側偏光板とを備えて成る。液晶ライトバルブ３１，３２，３３を経ることで変調された変調光（各色映像光）は、ダイクロイックプリズム１５によって合成されてカラー映像光となる。このカラー映像光は、投写レンズ１６によって拡大投写され、図示しないスクリーン上に投影表示される。
【００１６】
前記光源１の後方位置には、イオン風発生装置２０が設けられている。このイオン風発生装置２０は、図２にも示すように、マイナス側となる多数の針状電極２１…でコロナ放電によって空気をマイナスイオン化し、このマイナスイオン化した空気をアース側となるメッシュ電極２２で引き寄せて空気移動を生じさせる構成となっている。高電圧発生回路２６は、図示しない電源部から電圧供給を受け、マイナス数ｋＶ乃至マイナス十数ｋＶ程度の高電圧を発生させてこれを電極２１…に印加する。
【００１７】
また、図１に示したように、イオン風発生装置２０の送風口は筐体背面の排気口に向けられており、イオン風発生装置２０Ａにて生成される移動空気が装置外に排出されるとき、光源１の熱にて高温化した周囲空気が吸引され、移動空気に乗って装置外へと排気される。
【００１８】
前記筐体背面の排気口にはオゾン分解触媒フィルタ２３を設けている。このオゾン分解触媒フィルタ２３は二酸化マンガンや酸化ニッケルなどの触媒を例えばハニカム構造の通気支持体に添着して成るものである。イオン風発生装置２０におけるコロナ放電によってオゾン（Ｏ3 ）が発生し、このオゾンは移動空気に乗って装置外へと導かれることになるが、上記排気口に設けられたオゾン分解触媒フィルタ２３を通ることにより、オゾンは分解される。
【００１９】
オゾン分解触媒フィルタ２３がそのオゾン分解能力を十分に発揮するためにはある程度の温度が必要である。上記の構成では、光源１の熱にて高温化した周囲空気が移動空気に乗って装置外へと排気され、この高温の空気の熱がオゾン分解触媒フィルタ２３に付与されるため、オゾン分解触媒フィルタ２３は昇温し、そのオゾン分解能力を高めることになる。また、光源１をコールドランプ（リフレクタが赤外線を透過させるタイプ）とすれば、光源１から発せられる赤外線によってもオゾン分解触媒フィルタ２３が昇温され、そのオゾン分解能力を高めることになる（光源１から発せられる赤外線を積極的にオゾン分解触媒フィルタ２３に導くように、赤外線反射ミラー等を設けることとしてもよい）。ただし、光源点灯直後においてはオゾン分解触媒フィルタ２３の温度は室温と同じであり、オゾン分解能力を十分に発揮することができない。そこで、以下に示す制御を行なうこととし、このために温度センサ２４及び制御部２５を設けている。
【００２０】
温度センサ２４はオゾン分解触媒フィルタ２３の温度またはその周囲温度を検出する。この検出結果（電圧値）は制御部２５に与えられる。制御部２５は検出温度が規定温度以上となったときにイオン風発生装置２０を作動させるよう高電圧発生回路２６に対してＯＮ指令を与え、規定温度未満となったときにイオン風発生装置２０を停止させるよう高電圧発生回路２６に対してＯＦＦ指令を与えるようになっている。前記規定温度は、用いる触媒によっても異なることとなるし、プロジェクタにおける光学要素の耐熱温度によっても異なることとなるが、例えば、７０℃〜９０℃とすることができる。
【００２１】
図３は時間経過と装置内温度の変化を示すと共に、光源１のＯＮ／ＯＦＦ及びイオン風発生装置２０のＯＮ／ＯＦＦタイミングを示している。光源１のＯＮ当初の装置内温度は室温と同じであるが、その後は光源１の発する熱で装置内温度は上昇し、これと共にオゾン分解触媒フィルタ２３の温度も上昇する。検出温度が規定温度以上になるとイオン風発生装置２０がＯＮされ、装置内温度はイオン風冷却によって定常温度に維持される。そして、光源１がＯＦＦされた当初はまだ装置内温度は高く、従ってオゾン分解触媒フィルタ２３の温度も高いため、しばらくはイオン風発生装置２０のＯＮ状態が維持され、その後に検出温度が規定温度未満になるとイオン風発生装置２０のＯＦＦが行なわれる。このように、温度検出によってイオン風発生装置２０をＯＮ／ＯＦＦするので、オゾン分解触媒フィルタ２３のオゾン除去能力が十分に発揮される段階になってから送風を行なうことができ、発生オゾンの装置外への排出を極力抑えることができることになる。
【００２２】
以上の例では、イオン風発生装置２０によるイオン風にて光源１の周囲の高温空気を吸引して装置外へと導くこととしたが、イオン風発生装置２０によるイオン風を光源１に吹きつける構成としてもよく、この場合にはオゾン分解触媒フィルタ２３を光源１のリフレクタ３直ぐ近傍に配置するのがよい。また、イオン風発生装置２０を光源１の近傍に配置した構成を示したが、これに限るものではなく、他の高温発生箇所（例えば、液晶表示パネルの近傍位置等）に設けてもよいものである。また、イオン風発生装置における電極のプラスとマイナスの関係を逆にしてもかまわないものであり、また、空気や空気中の分子のイオン化で空気移動が生じるものであれば、上述の具体的に示した構成とは異なるイオン風発生装置を用いることができる。また、上記の例においては、温度センサ２４によりオゾン分解触媒フィルタ２３の温度またはその周辺温度を測定してイオン風発生装置２０を操作することとしたが、例えば、光源１がＯＮされた後、タイマー計測をおこない、所定期間が経過したときに、イオン風発生装置２０をＯＮし、また、光源１がＯＦＦされた後、タイマー計測をおこない、所定期間が経過したときに、イオン風発生装置２０をＯＦＦされることとしてもよいものである。かかる場合も、オゾン分解触媒フィルタ２３のオゾン除去能力が十分に発揮される段階になってから送風を行なうことができ、発生オゾンの装置外への排出を極力抑えることができることになる。
【００２３】
また、上記の例では、透過型の液晶表示パネルを３枚用いた映像生成光学系を示したが、このような映像生成光学系に限るものではなく、他の映像生成光学系を用いる場合にも適用することができる。
【００２４】
【発明の効果】
以上説明したように、この発明によれば、送風装置はイオン化した空気等を電気的に移動させて空気移動を生じさせるから、ファンの回転による送風と異なり、回転騒音の発生は無くなり、吸排気において殆ど無音状態とすることが可能となる。そして、上記イオン化によりオゾンが発生しても、このオゾンはオゾン除去フィルタによって除去されることになる。装置内で発生した熱がオゾン除去フィルタに与えられる構成であれば、オゾン除去フィルタがその除去能力を十分に発揮するためにある程度高温となることが必要となる場合に好都合となる。温度検出によって送風装置をＯＮ／ＯＦＦする構成やタイマーでＯＮ／ＯＦＦする構成であれば、オゾン除去フィルタのオゾン除去能力が十分に発揮される段階になってから送風を行なうことができ、発生オゾンの装置外への排出を極力抑えることができることになる。
【図面の簡単な説明】
【図１】この発明の実施形態の投写型映像表示装置を示した図である。
【図２】イオン風発生装置の構成を示した説明図である。
【図３】イオン風発生装置のＯＮ／ＯＦＦ制御を説明する説明図である。
【符号の説明】
１    光源
１７  紫外線反射ミラー
２０  イオン風発生装置
２１  針状電極
２２  メッシュ電極
２３  オゾン分解触媒フィルタ
２４  温度センサ
２５  制御部
２６  高電圧発生回路
【図１】
0003717885.tif 000002
【図２】
0003717885.tif 000003
【図３】
0003717885.tif 000004